Podtech/llm-jp-corpus-v4-ja_patent huggingface dataset:
【手続補正書】
【提出日】平成24年4月23日(2012.4.23)
【手続補正１】
【補正対象書類名】特許請求の範囲
【補正対象項目名】全文
【補正方法】変更
【補正の内容】
【特許請求の範囲】
【請求項１】
部分的に架橋された多糖を含む第1の成分と多糖用のさらなる架橋剤を含む第2の成分との二成分組成物であって、多糖またはさらなる架橋剤はキトサンまたはキトサン誘導体を含み、そして組成物が水和されそして混合された場合に、組成物をスプレーアプリケータを介して流体として送達し、薄く共形な保護層を体温で実質的に垂直な皮膚表面上に提供することができる、前記二成分組成物。
【請求項２】
多糖がキトサンまたはキトサン誘導体を含む、請求項1に記載の組成物。
【請求項３】
さらなる架橋剤がキトサンまたはキトサン誘導体を含む、請求項1または2に記載の組成物。
【請求項４】
多糖およびさらなる架橋剤が、キトサンまたはキトサン誘導体、セルロースまたはセルロース誘導体、でんぷんまたはでんぷん誘導体、あるいはキチン、コンドロイチン硫酸、デキストラン、グリコーゲン、ヒアルロン酸、またはそれらの誘導体を含む、請求項1〜3のいずれか1項に記載の組成物。
【請求項５】
多糖およびさらなる架橋剤を約20：1〜約1：20のモル比で組み合わせる、請求項1〜4のいずれか1項に記載の組成物。
【請求項６】
多糖およびさらなる架橋剤を約3：1〜約1：5のモル比で組み合わせる、請求項5に記載の組成物。
【請求項７】
リン酸イオンをさらに含む、請求項1〜6のいずれか1項に記載の組成物。
【請求項８】
シリンジ中にパッケージングされる、請求項1〜7のいずれか1項に記載の組成物。
【請求項９】
多糖が乾燥粒子形状である、請求項8に記載の組成物。
【請求項１０】
水和されそして混合された場合に、組成物が、スプレー適用されて、薄く、共形でそして初めは流体の保護層を、体温で実質的に垂直な皮膚表面上に形成することができ、そしてそのように適用した場合には表面からこぼれたり流れたりしない、請求項1〜9のいずれか1項に記載の組成物。
【請求項１１】
最初は部分的に架橋された多糖と多糖用のさらなる架橋剤との流体混合物を含む、体温表面上の保護層であって、多糖またはさらなる架橋剤はキトサンまたはキトサン誘導体を含み、そして部分的に架橋された多糖がさらなる架橋剤との混合前に部分的に架橋されたものである、前記保護層。
【請求項１２】
多糖がキトサンまたはキトサン誘導体を含む、請求項11に記載の保護層。
【請求項１３】
さらなる架橋剤がキトサンまたはキトサン誘導体を含む、請求項11または12に記載の保護層。
【請求項１４】
多糖およびさらなる架橋剤が、キトサンまたはキトサン誘導体、セルロースまたはセルロース誘導体、でんぷんまたはでんぷん誘導体、あるいはキチン、コンドロイチン硫酸、デキストラン、グリコーゲン、ヒアルロン酸またはそれらの誘導体を含む、請求項11〜13のいずれか1項に記載の保護層。
【請求項１５】
層が表面からこぼれたり流れたりしない、請求項11〜14のいずれか1項に記載の保護層。
【手続補正書】
【提出日】平成24年4月23日(2012.4.23)
【手続補正１】
【補正対象書類名】特許請求の範囲
【補正対象項目名】全文
【補正方法】変更
【補正の内容】
【特許請求の範囲】
【請求項１】
下記構造より選ばれる式の化合物
【化１】
2011518833.tif 000001
【化２】
2011518833.tif 000002
(式中、Yは、以下の基
【化３】
2011518833.tif 000003
である)。
【請求項２】
下記式の請求項1に記載の化合物、又はその医薬的に許容され得る塩。
【化４】
2011518833.tif 000004
【請求項３】
下記式の請求項1に記載の化合物、又はその医薬的に許容され得る塩。
【化５】
2011518833.tif 000005
【請求項４】
下記式の請求項1に記載の化合物、又はその医薬的に許容され得る塩。
【化６】
2011518833.tif 000006
【請求項５】
下記式の請求項1に記載の化合物、又はその医薬的に許容され得る塩。
【化７】
2011518833.tif 000007
【請求項６】
下記式の請求項1に記載の化合物、又はその医薬的に許容され得る塩。
【化８】
2011518833.tif 000008
【請求項７】
下記式の請求項1に記載の化合物、又はその医薬的に許容され得る塩。
【化９】
2011518833.tif 000009
【請求項８】
下記式の請求項1に記載の化合物、又はその医薬的に許容され得る塩。
【化１０】
2011518833.tif 000010
【請求項９】
下記式の請求項1に記載の化合物、又はその医薬的に許容され得る塩。
【化１１】
2011518833.tif 000011
【請求項１０】
下記式の請求項1に記載の化合物、又はその医薬的に許容され得る塩。
【化１２】
2011518833.tif 000012
【請求項１１】
下記式の請求項1に記載の化合物、又はその医薬的に許容され得る塩。
【化１３】
2011518833.tif 000013
【請求項１２】
下記式の請求項1に記載の化合物、又はその医薬的に許容され得る塩。
【化１４】
2011518833.tif 000014
【請求項１３】
下記式の請求項1に記載の化合物、又はその医薬的に許容され得る塩。
【化１５】
2011518833.tif 000015
【請求項１４】
下記式の請求項1に記載の化合物、又はその医薬的に許容され得る塩。
【化１６】
2011518833.tif 000016
【請求項１５】
脱毛症の治療用組成物を製造するための、請求項１〜１４のいずれか一項に記載の化合物の使用。
【手続補正書】
【提出日】平成24年4月5日(2012.4.5)
【手続補正１】
【補正対象書類名】特許請求の範囲
【補正対象項目名】全文
【補正方法】変更
【補正の内容】
【特許請求の範囲】
【請求項１】
保護用ゲル層をin situで形成するために十分な量のキトサンと酸化多糖とを含む、目、鼻、または喉における粘膜組織上の流体層。
【請求項２】
組織が、鼻腔組織または喉の組織を含む、請求項1に記載の流体層。
【請求項３】
キトサンが、未修飾キトサン、キトサン塩、またはキトサン誘導体である、請求項1または2に記載の流体層。
【請求項４】
酸化多糖が、でんぷん、セルロース、キチン、キトサン、コンドロイチン硫酸、デキストラン、グリコーゲン、またはヒアルロン酸である、請求項1〜3のいずれか1項に記載の流体層。
【請求項５】
キトサンと酸化多糖とが、10：1〜1：20、または3：1〜1：5の比で混合される、請求項1〜4のいずれか1項に記載の流体層。
【請求項６】
リン酸イオンをさらに含む、請求項1〜5のいずれか1項に記載の流体層。
【請求項７】
キトサンと酸化多糖との混合物を含有し、それにより混合物に保護用ゲル層をin situで形成させる、体組織または構造を処置するための医薬組成物。
【請求項８】
流体層を鼻腔、副鼻腔、中耳、内耳または喉に対して適用する、請求項7に記載の医薬組成物。
【請求項９】
流体層を、複数の注射筒から適用するか、またはスプレーにより適用する、請求項7または8に記載の医薬組成物。
【請求項１０】
キトサンが、未修飾キトサン、キトサン塩、またはキトサン誘導体である、請求項7〜9のいずれか1項に記載の医薬組成物。
【請求項１１】
酸化多糖が、でんぷん、セルロース、キチン、キトサン、コンドロイチン硫酸、デキストラン、グリコーゲン、またはヒアルロン酸を含む、請求項7〜10のいずれか1項に記載の医薬組成物。
【請求項１２】
キトサンと酸化多糖とが、10：1〜1：20の比、または3：1〜1：5の比で混合される、請求項7〜11のいずれか1項に記載の方法。
【手続補正書】
【提出日】平成24年4月17日(2012.4.17)
【手続補正１】
【補正対象書類名】特許請求の範囲
【補正対象項目名】全文
【補正方法】変更
【補正の内容】
【特許請求の範囲】
【請求項１】
乳癌組織増殖を抑制する用量の、一般式：
【化１】
2011518883.tif 000001
［式中：
Xは、アルキル、アルケニル、アルキニル、水素、ハロ、モノアルキルアミノ、ジアルキルアミノまたはアミノN,N-ジメチルアミノを表し；
R1は、O、NOHまたはNO-メチルを表し；
R2は、水素またはアセチルを表し；および、
R3は、メチルオキシ、ホルミルオキシ、アセトキシ、アシロキシ、S-アルコキシ、アセチルテオニル、グリシマート、ビニルエーテル、アセチルオキシメチル、炭酸メチル、ハロゲン、メチル、ヒドロキシ、またはエチルオキシを表す］
の化合物またはその薬学的に許容される塩、水和物もしくは溶媒和物と、
有効な量のアロマターゼ阻害薬とを組み合わせたことを特徴とする、それを必要とする女性における乳癌を治療するための医薬。
【請求項２】
前記化合物またはその薬学的に許容される塩、水和物もしくは溶媒和物と、前記アロマターゼ阻害薬とが、前記女性に同時投与される、請求項１の医薬。
【請求項３】
前記化合物がCDB-4124またはCDB-4059である、請求項1又は2の医薬。
【請求項４】
前記化合物がCDB-4124である、請求項3の医薬。
【請求項５】
前記化合物が0.5mg/kg〜500mg/kgの投薬量で投与される、請求項3の医薬。
【請求項６】
プロゲステロン受容体に対する前記化合物の結合親和性が、糖質コルチコイド受容体に対する前記化合物の結合親和性よりも少なくとも1.5倍大きい、請求項1又は2の医薬。
【請求項７】
前記化合物が乳癌株化細胞における百細胞あたりの増殖細胞の数を少なくとも20パーセント減少させる、請求項1又は2の医薬。
【請求項８】
前記女性におけるプロゲステロンレベルが実質的に増加されない、請求項1又は2の医薬。
【請求項９】
前記女性がホルモン置換療法を受けている女性である、請求項3の医薬。
【請求項１０】
前記女性は、エストロゲン療法を受けている女性である、請求項3の医薬。
【請求項１１】
前記アロマターゼ阻害薬が、アナストロゾール、レトロゾール、エキセメスタンおよびDL-アミノグルテチミドからなる群より選択される、請求項1又は2の医薬。
【請求項１２】
前記化合物および前記アロマターゼ阻害薬が同時に投与される、請求項1又は2の医薬。
【請求項１３】
乳癌組織増殖を抑制する用量の、一般式：
【化２】
2011518883.tif 000002
［式中：
Xは、アルキル、アルケニル、アルキニル、水素、ハロ、モノアルキルアミノ、ジアルキルアミノまたはアミノN,N-ジメチルアミノを表し；
R1は、O、NOHまたはNO-メチルを表し；
R2は、水素またはアセチルを表し；および、
R3は、メチルオキシ、ホルミルオキシ、アセトキシ、アシロキシ、S-アルコキシ、アセチルテオニル、グリシマート、ビニルエーテル、アセチルオキシメチル、炭酸メチル、ハロゲン、メチル、ヒドロキシまたはエチルオキシを表す］
の化合物またはその薬学的に許容される塩、水和物もしくは溶媒和物と、
有効な量のアロマターゼ阻害薬とを組み合わせたことを特徴とする、乳癌組織の増殖を阻害するための医薬。
【請求項１４】
前記化合物と、前記アロマターゼ阻害薬とが、前記乳癌組織に同時に接触する、請求項12の医薬。
【請求項１５】
前記化合物がCDB-4124またはCDB-4059である、請求項13又は14の医薬。
【請求項１６】
前記アロマターゼ阻害薬がアナストロゾール、レトロゾール、エキセメスタンおよびDL-アミノグルテチミドからなる群より選択される、請求項13又は14の医薬。
【手続補正書】
【提出日】平成24年5月1日(2012.5.1)
【手続補正１】
【補正対象書類名】特許請求の範囲
【補正対象項目名】全文
【補正方法】変更
【補正の内容】
【特許請求の範囲】
【請求項１】
単離された改変細胞組成物であって、
（ａ）細胞と、
（ｉ）    （ｂ）前記細胞の表面に結合された膜結合リガンドと、
（ｃ）前記細胞の前記表面に結合された粒子、または
（ｉｉ）  （ｂ）前記細胞の表面に組み込まれた自己集合分子または前記細胞の表面に組み込まれた脂質分子に結合された膜結合リガンド、または
（ｉｉｉ）（ｂ）前記細胞の表面に結合された粒子と、
（ｃ）前記細胞に結合しない粒子結合リガンド、または
（ｉＶ）  （ｂ）リガンドに結合された機能化粒子であって、ここに、前記機能化粒子は細胞内に内部移行される
とを含む細胞組成物。
【請求項２】
前記粒子が、１０００〜８０００ｎｍである、請求項１に記載の細胞組成物。
【請求項３】
前記自己集合分子が両親媒性である、請求項１または２に記載の細胞組成物。
【請求項４】
請求項１〜３のいずれか１項記載の単離された改変細胞組成物を形成する方法であって、
（ａ）膜結合リガンドを自己集合分子または両親媒性分子に結合させて修飾分子または修飾両親媒性分子を形成し、
（ｂ）前記修飾分子または修飾両親媒性分子を用いて小胞またはミセルを形成し、
（ｃ）前記小胞またはミセルを細胞と融合させることを含む方法。
【請求項５】
前記粒子が、標的化部分であるリガンドを含む、請求項１〜４のいずれか１項記載の細胞組成物または方法。
【請求項６】
前記膜結合リガンドが、前記細胞の前記表面の第１の部分に結合されており、前記細胞の前記表面の第２の部分には前記リガンドが実質的に無いか又は前記リガンドの濃度が著しく低減されている、請求項１〜５のいずれか１項記載の細胞組成物または方法。
【請求項７】
前記細胞が、幹細胞又は前駆細胞である、請求項１〜６のいずれか１項記載の細胞組成物または方法。
【請求項８】
前記粒子が、細胞または組織の１以上の機能を増強する作用剤を含む、請求項１〜７のいずれか１項記載の細胞組成物または方法。
【請求項９】
前記作用剤が、小分子、酵素前駆体、酵素、栄養補助剤、化粧用の特性を有する作用剤、成長因子、サイトカイン、ＲＮＡ干渉分子、増殖因子、ビタミン、治療薬、診断薬、ケモカイン、標的化作用剤、又は分化因子からなる群から選択される、請求項８記載の細胞組成物または方法。
【請求項１０】
前記膜結合リガンドまたは粒子またはその両方が、リンカー分子を介して前記細胞の表面に結合される、請求項１〜９のいずれか１項記載の細胞組成物または方法。
【請求項１１】
前記膜結合リガンドが、組織における前記細胞の蓄積をもたらす、請求項１〜１０のいずれか１項記載の細胞組成物または方法。
【請求項１２】
作用剤を含む粒子の組織特異的担体として使用するための、請求項１〜３および５〜１１のいずれか１項記載の細胞組成物。
【請求項１３】
標的組織再生のための請求項１〜３および５〜１１のいずれか１項記載の細胞組成物であって、ここに、
（ａ）前記膜結合リガンドが前記細胞の表面に結合して標的細胞を形成し、ここに、前記膜結合リガンドが、治療される組織における前記標的細胞の蓄積をもたらし、
（ｂ）前記粒子が前記標的細胞の前記表面に結合して二重機能性細胞を形成し、ここに、前記粒子が、前記二重機能性細胞の機能を増強する作用剤を含む、
細胞組成物。
【請求項１４】
前記細胞が、凝集塊の一部であり、粒子に結合若しくは粒子内に封入されているか、又は移植可能な若しくは注射可能な基質内に捕捉若しくは基質に結合されている、請求項１〜１１および１３のいずれか１項記載の細胞組成物または方法。
【請求項１５】
前記粒子が、磁性粒子、脂質小胞、ミクロスフェア、リポソーム、ポリマー性粒子、分解性粒子、非分解性粒子、ミセル、ナノチューブ、マイクロチューブ、量子ドット、金属粒子、ナノシェル、無機粒子、脂質、ナノ粒子、マイクロ粒子、又はデンドリマーからなる群から選択される、請求項１〜１１、１３および１４のいずれか１項記載の細胞組成物または方法。
【請求項１６】
前記作用剤が、細胞増殖、増殖、遊走、細胞分化、脱分化、標的化、凝集、マトリックス産生、栄養因子の産生、アポトーシス、ホーミング、動員、又は生着からなる群から選択される機能を増強するか、または前記作用剤が治療または診断剤である、請求項１〜１１および１３〜１５のいずれか１項記載の細胞組成物または方法。
【請求項１７】
前記膜結合リガンドまたは粒子結合リガンドが、抗体、抗体断片、アプタマー、ペプチド、標的化部分、ビタミン、栄養補助剤、薬物、糖質、タンパク質、受容体、接着分子、糖タンパク質、糖残基、治療薬、グリコサミノグリカン、又はそれらの任意の組合せからなる群から選択される、請求項１〜１１および１３〜１６のいずれか１項記載の細胞組成物または方法。
【請求項１８】
ワクチン接種のための、請求項１〜３、５〜１１および１３〜１７のいずれか１項記載の組成物。
【請求項１９】
前記リガンドが１．９ダイン／ｃｍ２までで、２μｍ／秒未満で回転することを可能にする接着リガンドである、請求項１〜１１および１３〜１８のいずれか１項記載の細胞組成物または方法。
【請求項２０】
前記組織が骨髄である、請求項１〜１１および１３〜１９のいずれか１項記載の細胞組成物または方法。
【手続補正書】
【提出日】平成24年4月26日(2012.4.26)
【手続補正１】
【補正対象書類名】特許請求の範囲
【補正対象項目名】全文
【補正方法】変更
【補正の内容】
【特許請求の範囲】
【請求項１】
以下を含む、抗GM-CSF抗体：
JセグメントがヒトJH4（YFDYWGQGTLVTVSS; SEQ ID NO:14）に対して少なくとも95％の同一性を含み、およびV-セグメントがヒト生殖系列VH1 1-02もしくはVH1 1-03配列に対して少なくとも90％の同一性を含む、CDR3結合特異性決定基RQRFPY(SEQ ID NO:12)もしくはRDRFPY(SEQ ID NO:13)、J-セグメント、およびV-セグメントを含むVH領域；または
CDR3結合特異性決定基RQRFPY(SEQ ID NO:12)を含むVH領域。
【請求項２】
JセグメントがYFDYWGQGTLVTVSS(SEQ ID NO:14)を含む、請求項1記載の抗体。
【請求項３】
CDR3がRQRFPYYFDY(SEQ ID NO:15)またはRDRFPYYFDY(SEQ ID NO:16)を含む、請求項1記載の抗体。
【請求項４】
VH領域CDR1がヒト生殖系列VH1 CDR1であり；VH領域CDR2がヒト生殖系列VH1 CDR2であり；またはCDR1およびCDR2の双方がヒト生殖系列VH1配列に由来する、先行請求項のいずれか一項記載の抗体。
【請求項５】
図1に記載されるVH領域において示されるVH CDR1、若しくはVH CDR2、またはVH CDR1およびVH CDR2の双方を含む、先行請求項のいずれか一項記載の抗体。
【請求項６】
VH領域CDR1が配列NYYIH(SEQ ID NO:25)またはGYYMH(SEQ ID NO:24)を有する、請求項1記載の抗体。
【請求項７】
VH領域CDR2が、配列
2011518886.tif 000001
を有する、請求項1記載の抗体。
【請求項８】
VH領域CDR1が配列NYYIH(SEQ ID NO:25)またはGYYMH(SEQ ID NO:24)を有し；およびVH領域CDR2が配列
2011518886.tif 000002
を有する、請求項1記載の抗体。
【請求項９】
V-セグメント配列が図1に示されるVH Vセグメント配列を有する、先行請求項のいずれか一項記載の抗体。
【請求項１０】
VHが図1に記載されるVH#1、VH#2、VH#3、VH#4、またはVH#5の配列を有する、請求項9記載の抗体。
【請求項１１】
アミノ酸配列FNKまたはFNRを含むCDR3を含むVL領域を含む、先行請求項のいずれか一項記載の抗体。
【請求項１２】
ヒト生殖系列JK4領域を含む、請求項11記載の抗体。
【請求項１３】
VL領域CDR3がQQFN(K/R)SPLT(SEQ ID NO:17)を含む、請求項11記載の抗体。
【請求項１４】
VL領域CDR3がQQFNKSPLT(SEQ ID NO:18)を含む、請求項11記載の抗体。
【請求項１５】
VL領域が、図1に示される配列VL領域のCDR1、若しくはCDR2、またはCDR1およびCDR2の双方を含む、請求項11〜14のいずれか一項記載の抗体。
【請求項１６】
VL領域CDR1が配列RASQS(V/I)G(T/S)N(V/L)A(SEQ ID NO:39)を有する、請求項11記載の抗体。
【請求項１７】
VL領域CDR2が配列STSSRAT(SEQ ID NO:33)を有する、請求項11記載の抗体。
【請求項１８】
VL領域CDR1が配列RASQS(V/I)G(T/S)N(V/L)A(SEQ ID NO:39)を有し；かつVL領域CDR2が配列STSSRAT(SEQ ID NO:33)を有する、請求項11記載の抗体。
【請求項１９】
VL領域が図1に示されるVKIIIA27 V-セグメント配列に対して少なくとも95％の同一性を有するVセグメントを含む、請求項11〜18のいずれか一項記載の抗体。
【請求項２０】
VL領域が、図1に記載されるVK#1、VK#2、VK#3、またはVK#4の配列を有する、請求項19記載の抗体。
【請求項２１】
IgGである、先行請求項のいずれか一項記載の抗体。
【請求項２２】
SEQ ID NO:11において記載されるアミノ酸配列を有する重鎖定常領域を含む、請求項21記載の抗体。
【請求項２３】
SEQ ID NO:10において記載されるアミノ酸配列を有するカッパ軽鎖定常領域を含む、先行請求項のいずれか一項記載の抗体。
【請求項２４】
VH領域もしくはVL領域、またはVHおよびVL領域アミノ酸配列の双方がN-末端でメチオニンを含む、先行請求項のいずれか一項記載の抗体。
【請求項２５】
QQFNKSPLT(SEQ ID NO:18)を含むCDR3を含むVL領域を含む、抗GM-CSF抗体。
【請求項２６】
VH領域もしくはVL領域、またはVHおよびVL領域アミノ酸配列の双方がN-末端でメチオニンを含む、請求項25記載の抗体。
【請求項２７】
図1に記載されるVH領域と図1に記載されるVL領域とを含む抗体。
【請求項２８】
IgGである、請求項27記載の抗体。
【請求項２９】
SEQ ID NO:11において記載されるアミノ酸配列を有する重鎖定常領域を含む、請求項27または請求項28記載の抗体。
【請求項３０】
SEQ ID NO:10において記載されるアミノ酸配列を有するカッパ軽鎖定常領域を含む、請求項27〜29のいずれか一項記載の抗体。
【請求項３１】
SEQ ID NO:11において記載される重鎖定常領域と、
SEQ ID NO:10において記載される軽鎖カッパ定常領域と、
図1に記載される、a）VH#2、VK#3；b）VH#1、VK#3；c）VH#3、VK#1；d）VH#4、VL#3；e）VH#4、VK#4；f）VH#4、VK#2；g）VH#5、VK#1；h）VH#5、VK#2；i）VH#3、VK#4；およびj）VH#3、VL#3からなる群より選択される重鎖と軽鎖可変領域の組み合わせと
を有する、請求項27記載の抗体。
【請求項３２】
先行請求項のいずれか一項記載の抗体を治療的有効量で患者に投与する段階を含む、GM-CSFが治療標的である疾患を有する患者を処置する方法。
【請求項３３】
疾患が、骨減少、リウマチ性関節炎、喘息、多発性硬化症、乾癬、慢性閉塞性肺疾患、特発性血小板減少性紫斑病、心不全、虚血事象による心損傷、または糖尿病である、請求項32記載の方法。
【手続補正書】
【提出日】平成24年2月27日(2012.2.27)
【手続補正１】
【補正対象書類名】特許請求の範囲
【補正対象項目名】請求項５
【補正方法】変更
【補正の内容】
【請求項５】
第２のイオン性液体が、任意のカチオンを有する、ビス（フルオロアルキルスルホニル）イミド、特にビス（トリフルオロメチルスルホニル）イミド、ビス（フルオロアリール）イミド、トリス（パーフルオロアルキル）トリホスフェート、又はフッ素化アルキルスルホネートからなる群から選択されるフッ素化アニオンであるか、又は、第四級アンモニウムカチオン又はホスホニウムカチオンとからなる群から選択される長鎖カチオン及び任意のアニオンである、請求項１から４までのいずれか１項記載のグリース組成物の使用。
【手続補正２】
【補正対象書類名】特許請求の範囲
【補正対象項目名】請求項１０
【補正方法】変更
【補正の内容】
【請求項１０】
増粘剤がＰＴＦＥ、ベントナイト、エアロジル、非水溶性カルボン酸塩及び／又はそれらの混合物、非水溶性スルホン酸塩及びそれらの混合物、尿素、カーボンブラック、グラファイト、金属酸化物、例えば、酸化チタン及び酸化亜鉛及び／又はそれらの混合物から選択される、請求項１から９までのいずれか１項記載のグリース組成物の使用。
【手続補正書】
【提出日】平成24年4月5日(2012.4.5)
【手続補正１】
【補正対象書類名】特許請求の範囲
【補正対象項目名】全文
【補正方法】変更
【補正の内容】
【特許請求の範囲】
【請求項１】
ウレア基を含有し、いずれの場合にもウレア基を含有するヒドロキシ官能性ポリウレタンを基準として、２重量％〜１０重量％のヒドロキシル基含量、および３重量％〜２０重量％の、第１級または第２級アミノ基および少なくとも１つのヒドロキシル基を有するアミノアルコールから誘導されたウレア基の水準（−ＮＨ−ＣＯ−ＮＨ−として計算）を有するヒドロキシ官能性ポリウレタンの水溶液の製造方法であって、該方法は、まず、
ａ）少なくとも１つの酸基および／または酸基の塩を有する、または少なくとも１つの第３級アミノ基および／または第３級アミノ基の塩を有する少なくとも１つのヒドロキシ−および／またはアミノ−官能性親水性化剤、
ｂ）少なくとも１つのポリオール、
ｃ）少なくとも１つのポリイソシアネート、
ｄ）必要に応じて、成分ａ）、ｂ）およびｅ）の化合物と異なった他のヒドロキシ−および／またはアミノ−官能性化合物
の単一段階反応または多段階反応によりＮＣＯ官能性プレポリマーを調製する工程、および
次いで、これらのプレポリマーを、
ｅ）第１級または第２級アミノ基および少なくとも１つのヒドロキシル基を有するアミノアルコールを含み、第２級アミノ基を有するアミノアルコールの画分が成分ｅ）の全量を基準として少なくとも６０重量％であるアミノアルコール成分
と反応させる工程、および
得られるウレア基を含有するヒドロキシ官能性ポリウレタンを溶解させる工程
を含み、
ｆ）水中において、親水性化剤ａ）の酸基または第３級アミノ基と中和剤との反応を、水中における溶解操作より前にまたは伴って行う、
前記方法。
【請求項２】
用いるポリイソシアネート成分ｃ）を、
ｃ１）ヘキサメチレンジイソシアネート、イソホロンジイソシアネート、２，４−ジイソシアナトトルエンおよび／または２，６−ジイソシアナトトルエンおよび４，４’−ジイソシアナトジシクロヘキシルメタンからなる群から選択される、２７重量％〜７３重量％の少なくとも１つの２官能性イソシアネート、および
ｃ２）ヘキサメチレンジイソシアネートをベースとする、ウレットジオン、ビウレット、イソシアヌレート、アロファネート、カルボジイミド、イミノオキサジアジンジオン、オキサジアジントリオン、ウレタンおよび／またはウレア構造単位を有する平均２を越えるイソシアネート基を有する、７３重量％〜２７重量％の少なくとも１つのポリイソシアネート
から構成することを特徴とする、請求項１に記載の方法。
【請求項３】
専ら１つの第２級アミノ基および１つまたは２つのヒドロキシル基を有するアミノアルコールを、専ら成分ｅ）に用いることを特徴とする、請求項１または２に記載の方法。
【請求項４】
ウレア基を含有するヒドロキシ官能性ポリウレタンを、水中に分散する前に、有機溶媒中における非水性分散体として存在させることを特徴とする、請求項１〜３のいずれかに記載の方法。
【請求項５】
請求項１〜４のいずれかに記載の方法により得られる、ウレア基を含有するヒドロキシ官能性ポリウレタンの水溶液。
【請求項６】
凍結に安定性であることを特徴とする、請求項５に記載の水溶液。
【請求項７】
ウレア基を含有し、いずれの場合にもウレア基を含有するヒドロキシ官能性ポリウレタンを基準として、２重量％〜１０重量％のヒドロキシル基含量、および３重量％〜２０重量％の、第１級または第２級アミノ基および少なくとも１つのヒドロキシル基を有するアミノアルコールから誘導されたウレア基の水準（−ＮＨ−ＣＯ−ＮＨ−として計算）を有する水溶性ヒドロキシ官能性ポリウレタンであって、ＮＣＯ官能性ポリウレタンプレポリマーを、
ａ）少なくとも１つの酸基および／または酸基の塩を有する、または少なくとも１つの第３級アミノ基および／または第３級アミノ基の塩を有する少なくとも１つのヒドロキシ−および／またはアミノ−官能性親水性化剤、
ｂ）少なくとも１つのポリオール、
ｃ）少なくとも１つのポリイソシアネート、
ｄ）必要に応じて、成分ａ）、ｂ）およびｅ）の化合物と異なった他のヒドロキシ−および／またはアミノ−官能性化合物
を反応させることにより調製し、
これらのプレポリマーを、
ｅ）第１級または第２級アミノ基および少なくとも１つのヒドロキシル基を有するアミノアルコールを含み、第２級アミノ基を有するアミノアルコールの画分が成分ｅ）の全量を基準として少なくとも６０重量％であるアミノアルコール成分と反応させること
により得られ、成分ａ）の化合物に由来する第３級アミノ基または酸基が、ウレア基を含有するヒドロキシ官能性ポリウレタン中において、その塩形態で全中和または部分中和の結果として存在することが可能である、水溶性ヒドロキシ官能性ポリウレタン。
【請求項８】
成分Ａ）として、請求項７に記載のウレア基を含有するヒドロキシ官能性ポリウレタンまたは請求項５または６に記載の水溶液を含むポリウレタン系。
【請求項９】
必要に応じて親水性的に変性されるポリイソシアネートＢ）をさらに含む、請求項８に記載のポリウレタン系。
【請求項１０】
ヘキサメチレンジイソシアネートをベースとする疎水性ポリイソシアネート架橋剤を、専らＢ）に用いることを特徴とする、請求項８または９に記載のポリウレタン系。
【請求項１１】
請求項８〜１０のいずれかに記載のポリウレタン系を用いて得られるポリウレタン。
【請求項１２】
塗料、被覆材料、封止剤、液体インク、印刷インク、サイズ、接着促進剤または１以上の層に適用される反応性希釈剤であることを特徴とする、請求項１１に記載のポリウレタン。
【請求項１３】
請求項１１または１２に記載のポリウレタンで被覆された基材。
【手続補正書】
【提出日】平成24年1月20日(2012.1.20)
【手続補正１】
【補正対象書類名】特許請求の範囲
【補正対象項目名】全文
【補正方法】変更
【補正の内容】
【特許請求の範囲】
【請求項１】
それぞれ一つまたは二つの重合可能な、ジアセチレン、ビニル、アクリレートまたはスチレン型の部分を含む１もしくは２本の脂質鎖を有し、極性を有する頭部に結合された両親媒性分子から出発して得られる、重合させた両親媒性分子を含むことを特徴とする、重合ミセル。
【請求項２】
一般式：Ａ−Ｘ−Ｂ−Ｌ−Ｚ
［式中、
Ａは、ＣＨ3−（ＣＨ2）m−Ｃ≡Ｃ−Ｃ≡Ｃ−（ＣＨ2）n−、ＣＨ2＝ＣＨ−またはＣＨ2＝ＣＨ−Ｃ6Ｈ4−を表し、ｎおよびｍは、同じであるか、または異なっていてもよく、１〜１６の整数であり；
Ｘは、ＣＯ−ＮＨもしくはＮＨ−ＣＯまたは結合を表し、Ｂが結合であり、Ｌが結合であるならば、Ｘは、結合であり；
Ｂは、−（ＣＨ2）m−Ｃ≡Ｃ−Ｃ≡Ｃ−（ＣＨ2）n−もしくは−ＣＨ＝ＣＨ−Ｃ6Ｈ4−または結合を表し、ｎおよびｍは、同じであるか、または異なっていてもよく、１〜１６の整数であり；
Ｌは、−（ＣＨ2）r−ＣＨ［ＮＨ−ＣＯ−Ａ’］−または結合を表し、ｒは、１〜１６の整数であり、Ａ’は、Ａを表し；
Ｚは、
【化１５】
2011518868.tif 000001
を表し、ｓは、１〜１６の整数であり、Ｒ2は、ＣＯＯＨ、ＳＯ3Ｈ、ＯＳＯ3Ｈ、ＯＰＯ3Ｈ2またはＯＰＯ2Ｈ2を表し、Ｒ1は、Ｈまたは基ＣＯＯＨ、ＳＯ3Ｈ、ＯＳＯ3Ｈ、ＯＰＯ3Ｈ2もしくはＯＰＯ2Ｈ2または基−ＣＯ−ＮＨ−（ＣＨ2）t−ＣＨ3を表し、ｔは、１〜１６の整数であるか、あるいは
Ｚは、糖または多糖類型の中性で親水性の、極性を有する頭部であってもよい］
で示される両親媒性分子から出発して得られる、重合させた両親媒性分子を含むことを特徴とする、請求項１記載の重合ミセル、および薬学的に許容され得る酸または塩基とのその付加塩。
【請求項３】
一般式：Ａ−Ｘ−Ｂ−Ｌ−Ｚ
［式中、
Ａは、ＣＨ3−（ＣＨ2）m−Ｃ≡Ｃ−Ｃ≡Ｃ−（ＣＨ2）n−を表し、ｎおよびｍは、同じであるか、または異なっていてもよく、１〜１６の整数であり；
Ｘは、ＣＯ−ＮＨもしくはＮＨ−ＣＯまたは結合を表し、Ｂが結合であり、Ｌが結合であるならば、Ｘは、結合であり；
Ｂは、−（ＣＨ2）m−Ｃ≡Ｃ−Ｃ≡Ｃ−（ＣＨ2）n−または結合を表し、ｎおよびｍは、同じであるか、または異なっていてもよく、１〜１６の整数であり；
Ｌは、−（ＣＨ2）r−ＣＨ［ＮＨ−ＣＯ−Ａ’］−または結合を表し、ｒは、１〜１６の整数であり、Ａ’は、ＡまたはＣＨ2＝ＣＨ−もしくはＣＨ2＝ＣＨ−Ｃ6Ｈ4−を表し；
Ｚは、
【化１６】
2011518868.tif 000002
を表し、ｓは、１〜１６の整数であり、Ｒ1は、Ｈまたは基ＣＯＯＨもしくは基−ＣＯ−ＮＨ−（ＣＨ2）t−ＣＨ3を表し、ｔは、１〜１６の整数であるか、あるいは
Ｚは、糖または多糖類型の中性で親水性の、極性を有する頭部であってもよい］
で示される両親媒性分子から出発して得られる、重合させた両親媒性分子を含むことを特徴とする、請求項１および２に記載の重合ミセル、ならびに薬学的に許容され得る酸または塩基とのその付加塩。
【請求項４】
極性を有する頭部Ｚが機能化されていることを特徴とする、請求項１〜３のいずれか一項に記載の重合ミセル。
【請求項５】
極性を有する頭部Ｚが葉酸によって機能化されていることを特徴とする、請求項４記載の重合ミセル。
【請求項６】
一つまたはそれ以上の疎水性化合物を含むことを特徴とする、請求項１〜５のいずれか一項に記載の重合ミセル。
【請求項７】
重合させた両親媒性分子が、式：
【化１７】
2011518868.tif 000003
で示される両親媒性分子II−４から出発して得られることを特徴とする、請求項１〜６のいずれか一項に記載の重合ミセル。
【請求項８】
重合させた両親媒性分子が、式：
【化１８】
2011518868.tif 000004
で示される両親媒性分子II−２３から出発して得られることを特徴とする、請求項１〜６のいずれか一項に記載の重合ミセル。
【請求項９】
重合させた両親媒性分子が、式：
【化１９】
2011518868.tif 000005
で示される両親媒性分子から出発して得られることを特徴とする、請求項１〜６のいずれか一項に記載の重合ミセル。
【請求項１０】
重合させた両親媒性分子が、式：
【化２０】
2011518868.tif 000006
で示される両親媒性分子から出発して得られることを特徴とする、請求項１〜６のいずれか一項に記載の重合ミセル。
【請求項１１】
重合させた両親媒性分子が、式：
【化２１】
2011518868.tif 000007
で示される両親媒性分子から出発して得られることを特徴とする、請求項１〜６のいずれか一項に記載の重合ミセル。
【請求項１２】
重合させた両親媒性分子が、式：
【化２２】
2011518868.tif 000008
で示される両親媒性分子から出発して得られることを特徴とする、請求項１〜６のいずれか一項に記載の重合ミセル。
【請求項１３】
重合させた両親媒性分子が、式：
【化２３】
2011518868.tif 000009
で示される両親媒性分子から出発して得られることを特徴とする、請求項１〜６のいずれか一項に記載の重合ミセル。
【請求項１４】
請求項１〜１３のいずれか一項に記載の重合ミセルを含むことを特徴とする組成物。
【請求項１５】
薬学的に許容され得る一つまたはそれ以上の賦形剤を含むことを特徴とする、請求項１４記載の組成物。
【請求項１６】
疎水性分子のベクターとしての請求項１〜１３のいずれか一項に記載の重合ミセルの使用。
【請求項１７】
疎水性分子が疎水性の活性成分であることを特徴とする、請求項１６記載の重合ミセルの使用。
【請求項１８】
下記の工程：
重合させようとする請求項１〜１３のいずれか一項に記載の両親媒性化合物を、球状ミセルへと自己組織化させる工程、および
自己組織化した球状ミセルを重合させる工程
を含むことを特徴とする、請求項１〜１３のいずれか一項に記載の重合ミセルを得る方法
【請求項１９】
自己組織化した球状ミセルを光重合させることを特徴とする、請求項１８記載の方法。
【請求項２０】
自己組織化した球状ミセルをフリーラジカル重合によって重合させることを特徴とする、請求項１８記載の方法。
【手続補正２】
【補正対象書類名】明細書
【補正対象項目名】０００９
【補正方法】変更
【補正の内容】
【０００９】
本発明は、それぞれ一つまたは二つの重合可能な、ジアセチレン、ビニル、アクリレートまたはスチレン型の部分を含む１もしくは２本の脂質鎖を有し、極性を有する頭部に結合された両親媒性分子から出発して得られる、重合させた両親媒性分子を含むことを特徴とする、重合ミセルに関するものである。
【手続補正書】
【提出日】平成24年4月27日(2012.4.27)
【手続補正１】
【補正対象書類名】特許請求の範囲
【補正対象項目名】全文
【補正方法】変更
【補正の内容】
【特許請求の範囲】
【請求項１】
少なくとも以下の諸工程：
(a) 少なくとも1種の生きた又は不活化された生理学的に許容される微生物、その代謝産物の一種、又はその画分の一種及び少なくとも1種の、12以上のHLBを持つ界面活性剤を含む、凍結乾燥物を入手する工程；
(b) 該凍結乾燥物とは異なる、生理学的に許容される媒体を得る工程；
(c) 該凍結乾燥物を該媒体中に可溶化し及び/又は分散するのに有利な条件下で、その場で、該凍結乾燥物を、該媒体と接触させる工程；及び
(d) 前の工程において得た該混合物を、ケラチン物質と接触させる工程、
を含むことを特徴とする、ケラチン物質の化粧学的処置方法。
【請求項２】
前記微生物が、プロバイオティクス微生物、非-光合成糸状菌、その抽出物の一種及びこれらの混合物の一種から選択される、請求項1記載の方法。
【請求項３】
前記微生物が、ラクトバチラスジョンソニ、ラクトバチラスリューテリ、ラクトバチラスラムノサス、ラクトバチラスパラカセイ、ラクトバチラスカセイ又はビフィドバクテリウムビフィダム、ビフィドバクテリウムブレーブ、ビフィドバクテリウムロンガム、ビフィドバクテリウムアニマリス、ビフィドバクテリウムラクティス、ビフィドバクテリウムインファンティス、ビフィドバクテリウムアドレッセンティス又はビフィドバクテリウムシュードカテヌレータム及びこれらの混合物から選択される、ラクトバチラス及び/又はビフィズス菌からなる群を由来とする少なくとも1種のプロバイオティクス微生物である、請求項2記載の方法。
【請求項４】
前記微生物が、ビトレオスシラフィリフォルミス(ATCC 15551)、ビトレオスシラベギアトイデス(ATCC 43181)、ベギアトアアルバ(ATCC 33555)、フレキシスリックスドロテアエ(ATCC 23163)、リューコスリックスムコール(ATCC 25107)、スフェロチラスナタンス(ATCC 13338)から選択される、少なくとも1種の非-光合成糸状菌又はその抽出物である、請求項2記載の方法。
【請求項５】
前記凍結乾燥物が、101cfu/g〜1015cfu/gなる範囲内の微生物を含む、請求項1〜4の何れか1項に記載の方法。
【請求項６】
前記12以上のHLBを持つ少なくとも1種の界面活性剤が、ポリ(エチレンオキサイド)のアルキル及びポリアルキルエステル、ポリオキシエチレン化された又はポリオキシエチレン化されていない、ソルビタンのアルキル及びポリアルキルエステル、アルキル及びポリアルキルグルコシド及びポリグルコシド、ポリオキシエチレン化された又はポリオキシエチレン化されていない、グリセロールのアルキル及びポリアルキルエステル、アルキルエーテルサルフェート、サルコシネート及びベタインから選択される、請求項1〜5の何れか1項に記載の方法。
【請求項７】
前記工程(b)の前記生理学的に許容される媒体が、水のみで構成される、請求項1〜6の何れか1項に記載の方法。
【請求項８】
前記工程(b)の前記生理学的に許容される媒体が、皮膚科学的及び/又は化粧学的組成物である、請求項1〜6の何れか1項に記載の方法。
【請求項９】
少なくとも1種の生きた又は不活化された生理学的に許容される微生物、その代謝産物の一種、又はその画分の一種及び12以上のHLBを持つ少なくとも1種の界面活性剤を含み、該微生物がプロバイオティクス微生物、非-光合成糸状菌、その抽出物の一種及びこれらの混合物の一種から選択されることを特徴とする、凍結乾燥物。
【請求項１０】
少なくとも以下に列挙する成分を含むことを特徴とする、その場で調製できる化粧学的又は皮膚科学的ケア製品：
i. 少なくとも1種の生きた又は不活化された生理学的に許容される微生物、その代謝産物の一種、又はその画分の一種及び12以上のHLBを持つ少なくとも1種の界面活性剤を含む凍結乾燥物から完全に又は部分的に作られた第一の組成物、ここで該微生物がプロバイオティクス微生物、非-光合成糸状菌、その抽出物の一種及びこれらの混合物の一種から選択され；及び
ii. 該凍結乾燥物とは別の、生理学的に許容される媒体を含む第二の組成物、ここで該媒体は、該凍結乾燥物を可溶化しあるいはこれを分散させることができる。
【手続補正書】
【提出日】平成24年1月12日(2012.1.12)
【手続補正１】
【補正対象書類名】特許請求の範囲
【補正対象項目名】全文
【補正方法】変更
【補正の内容】
【特許請求の範囲】
【請求項１】
（ａ）第ＶＩＩＩ族金属触媒及びヨウ化メチル促進剤の存在下でメタノール又はその反応性誘導体をカルボニル化して、酢酸、水、酢酸メチル、及びヨウ化メチルを含む液体反応混合物を生成させ；
（ｂ）液体反応混合物を、減圧下に保持したフラッシュ容器に供給し；
（ｃ）同時に反応混合物をフラッシングしながらフラッシュ容器を加熱して、粗生成物蒸気流を生成させる；
ことを含み、
反応混合物、フラッシュ容器への反応混合物の流速、並びにフラッシュ容器へ供給する熱の量を、フラッシュ容器の蒸気出口で測定した粗生成物蒸気流の温度が３００°Ｆ（１４９℃）よりも高い温度に保持され、粗生成物蒸気流中の酢酸の濃度が流れの７０重量％よりも大きくなるように制御する、酢酸を製造するためのカルボニル化方法。
【請求項２】
粗生成物蒸気流の温度を、３００°Ｆ（１４９℃）よりも高く、４００°Ｆ（２０４℃）未満の温度に保持する、請求項１に記載のカルボニル化方法。
【請求項３】
粗生成物蒸気流の温度を、３００°Ｆ（１４９℃）よりも高く、３５０°Ｆ（１７７℃）未満の温度に保持する、請求項１又は２に記載のカルボニル化方法。
【請求項４】
反応混合物中の水の量を、反応混合物の１重量％〜１０重量％のレベルに保持し、反応混合物がヨウ化物塩共促進剤を更に含む、請求項１〜３のいずれか１項に記載のカルボニル化方法。
【請求項５】
ヨウ化物塩共促進剤を、反応混合物の約４重量％〜約２０重量％のヨウ化物アニオン濃度を生成する量で存在させる、請求項４に記載のカルボニル化方法。
【請求項６】
ヨウ化物塩共促進剤が複数のヨウ化物塩の混合物である、請求項４又は５に記載のカルボニル化方法。
【請求項７】
ヨウ化物塩共促進剤を、ヨウ化物リガンド前駆体の形態で反応混合物に与える、請求項４〜６のいずれか１項に記載のカルボニル化方法。
【請求項８】
反応混合物中の水の量を、反応混合物の１重量％〜５重量％のレベルに保持する、請求項１〜７のいずれか１項に記載のカルボニル化方法。
【請求項９】
第ＶＩＩＩ族金属触媒が、ロジウム触媒及びイリジウム触媒から選択される、請求項１〜８のいずれか１項に記載のカルボニル化方法。
【請求項１０】
第ＶＩＩＩ族金属触媒がロジウム触媒であり、反応混合物の約３００重量ｐｐｍ〜約５，０００重量ｐｐｍの濃度で反応混合物中に存在させる、請求項１〜９のいずれか１項に記載のカルボニル化方法。
【請求項１１】
カルボニル化を１０〜１００ｂａｒのゲージ圧下で行う、請求項１〜１０のいずれか１項に記載のカルボニル化方法。
【請求項１２】
フラッシュ容器を約０．２５〜約３ｂａｒのゲージ圧に保持する、請求項１〜１１のいずれか１項に記載のカルボニル化方法。
【請求項１３】
（ａ）第ＶＩＩＩ族金属触媒及びヨウ化メチル促進剤の存在下でメタノール又はその反応性誘導体をカルボニル化して、酢酸、水、酢酸メチル、及びヨウ化メチルを含む液体反応混合物を生成させ；
（ｂ）液体反応混合物を、供給温度において、減圧下に保持したフラッシュ容器に供給し；
（ｃ）同時に反応混合物をフラッシングしながらフラッシュ容器を加熱して、粗生成物蒸気流を生成させる；
ことを含み、
反応混合物、フラッシュ容器への反応混合物の流速、並びにフラッシュ容器へ供給する熱の量を、粗生成物蒸気流の温度が、フラッシャーに供給される液体反応混合物の供給温度よりも９０°Ｆ（３２℃）未満低い温度に保持され、粗生成物蒸気流中の酢酸の濃度が粗生成物蒸気流の７０重量％よりも大きくなるように制御する、酢酸を製造するためのカルボニル化方法。
【請求項１４】
粗生成物流が流れの少なくとも７５重量％の酢酸濃度を有するように、反応混合物を選択し、その流速を、フラッシャーに供給する熱と共に制御する、請求項１３に記載のカルボニル化方法。
【請求項１５】
粗生成物流が流れの少なくとも８０重量％の酢酸濃度を有するように、反応混合物を選択し、その流速を、フラッシャーに供給する熱と共に制御する、請求項１３又は１４に記載のカルボニル化方法。
【請求項１６】
粗生成物流が流れの８０重量％〜８５重量％の酢酸濃度を有するように、反応混合物を選択し、その流速を、フラッシャーに供給する熱と共に制御する、請求項１３〜１５のいずれか１項に記載のカルボニル化方法。
【請求項１７】
粗生成物蒸気流が、フラッシャーに供給する液体反応混合物流の温度よりも８５°Ｆ（２９℃）未満低い温度を有する、請求項１３〜１６のいずれか１項に記載のカルボニル化方法。
【請求項１８】
粗生成物蒸気流が、フラッシャーに供給する液体反応混合物流の温度よりも８０°Ｆ（２７℃）未満低い温度を有する、請求項１３〜１７のいずれか１項に記載のカルボニル化方法。
【請求項１９】
粗生成物蒸気流が、フラッシャーに供給する液体反応混合物流の温度よりも７５°Ｆ（２４℃）未満低い温度を有する、請求項１３〜１８のいずれか１項に記載のカルボニル化方法。
【請求項２０】
粗生成物蒸気流が、フラッシャーに供給する液体反応混合物流の温度よりも６５°Ｆ（１８℃）未満低い温度を有する、請求項１３〜１９のいずれか１項に記載のカルボニル化方法。
【請求項２１】
粗生成物蒸気流が、フラッシャーに供給する液体反応混合物流の温度よりも６０°Ｆ（１６℃）未満低い温度を有する、請求項１３〜２０のいずれか１項に記載のカルボニル化方法。
【請求項２２】
（ａ）第ＶＩＩＩ族金属触媒及びヨウ化メチル促進剤の存在下でメタノール又はその反応性誘導体をカルボニル化して、酢酸、水、酢酸メチル、及びヨウ化メチルを含む液体反応混合物を生成させるための、均一な第ＶＩＩＩ族金属触媒を含む反応器；
（ｂ）反応混合物の流れを受容し、反応混合物を減圧下でフラッシングして粗生成物蒸気流を生成させるように構成されているフラッシュ容器；
（ｃ）反応器及びフラッシュ容器に接続され、熱を反応器からフラッシュ容器へ移動させて、粗生成物蒸気流の温度を、断熱フラッシングを受ける同様の流れの温度と比較して上昇させるように機能する熱移動システム；
を含む、酢酸を製造するための装置。
【請求項２３】
反応器及びフラッシャーに接続されているコンバーター容器を更に含む、請求項２２に記載の装置。
【請求項２４】
粗生成物流を受容し、それから酢酸メチル及びヨウ化メチルを除去して精製生成物流を生成させるように構成されているスプリッターカラムを更に含む、請求項２２又は２３に記載の装置。
【請求項２５】
スプリッターカラムから精製生成物流を受容し、それから水を除去するように構成されている乾燥カラムを更に含む、請求項２２〜２４のいずれか１項に記載の装置。
【手続補正書】
【提出日】平成24年1月31日(2012.1.31)
【手続補正１】
【補正対象書類名】特許請求の範囲
【補正対象項目名】全文
【補正方法】変更
【補正の内容】
【特許請求の範囲】
【請求項１】
（ｉ）異常細胞に対する宿主免疫エフェクター細胞をトリガーすることができる治療化合物、ここで該治療化合物は、ヒトまたは非ヒト霊長類のＩｇＧ  Ｆｃ部分を有する治療抗体であり、該抗体は抗体依存性細胞性細胞毒性（ＡＤＣＣ）を誘発する、および（ｉｉ）ＳＩＲＰαを介して開始される抑制シグナル変換を減少しまたは防ぐことができる少なくとも１つの剤を含む組成物。
【請求項２】
該剤が、ＳＩＲＰαとＣＤ４７との間の相互作用を阻害することができ、その結果ＣＤ４７／ＳＩＲＰα複合体を介した該抑制シグナルが減少される、請求項１に記載の組成物。
【請求項３】
該剤が、タンパク質様物質である、請求項１または２に記載の組成物。
【請求項４】
該剤が抗ＣＤ４７抗体もしくは抗ＳＩＲＰα抗体またはそれらの断片である、請求項３に記載の組成物。
【請求項５】
該抗体断片が、Ｆａｂ断片、Ｆ（ａｂ’）２断片、ＣＤＲまたはｓｃＦｖである、請求項３または４に記載の組成物。
【請求項６】
該異常細胞がガン細胞である、請求項１〜５のいずれか１項に記載の組成物。
【請求項７】
該治療抗体が、ＦＤＡにより承認された治療抗体である、請求項１〜６のいずれか１項に記載の組成物。
【請求項８】
該治療抗体が、リツキシマブ、ハーセプチン、トラスツズマブ、アレムツズマブ、ベバシズマブ、セツキシマブ、及びパニツムマブからなる群から選ばれたものである、請求項７に記載の組成物。
【請求項９】
該異常細胞が、ウィルスに感染した細胞である、請求項１〜５のいずれか１項に記載の組成物。
【請求項１０】
治療化合物として、ウィルスワクチンを含む、請求項９に記載の組成物。
【請求項１１】
骨髄系細胞および／または貪食性細胞による増大した貪食から利益を得るだろう疾患または障害の処置または予防の為の医薬であって、該医薬はＳＩＲＰαを介して開始される抑制シグナル変換を減少しまたは防ぐことができる剤を含み、且つ、該疾患または障害が、増大した抗体依存性細胞性細胞毒性（ＡＤＣＣ）から利益を得るだろう、前記医薬。
【請求項１２】
該疾患がガンである、請求項１１に記載の医薬。
【請求項１３】
該疾患がウィルス感染症である、請求項１１または１２に記載の医薬。
【請求項１４】
該剤が、ヒトまたは非ヒト霊長類のＩｇＧ  Ｆｃ部分を有する治療抗体と一緒に用いられ、該抗体が抗体依存性細胞性細胞毒性（ＡＤＣＣ）を誘発する、請求項１１〜１３のいずれか１項に記載の医薬。
【請求項１５】
該剤が、ペプチド、抗体、または抗体断片である、請求項１または２に記載の組成物。
【請求項１６】
該異常細胞が、ポックスウィルスに感染した細胞である、請求項１〜５のいずれか１項に記載の組成物。
【請求項１７】
治療化合物として、ポックスウィルスワクチンを含む、請求項９に記載の組成物。
【請求項１８】
該疾患が、ポックスウィルス科のメンバーにより引き起こされる感染症である、請求項１１または１２に記載の医薬。
【手続補正２】
【補正対象書類名】明細書
【補正対象項目名】００１１
【補正方法】変更
【補正の内容】
【００１１】
それゆえに、本発明の１つの局面は、（i）異常細胞に対する宿主免疫エフェクター細胞をトリガーすることができる治療化合物、ここで該治療化合物は、ヒトまたは非ヒト霊長類のＩｇＧ  Ｆｃ部分を有する治療抗体であり、該抗体は抗体依存性細胞性細胞毒性（ＡＤＣＣ）を誘発する、および（ｉｉ）ＳＩＲＰαを介して開始される抑制シグナル変換を減少しまたは防ぐことができる少なくとも１つの剤を含む組成物に関する。例えば、ＳＩＲＰαとＣＤ４７との間の相互作用を抑制することができる剤が用いられ、その結果、ＣＤ４７−ＳＩＲＰα相互作用を介した該抑制シグナルが減少される。宿主は哺乳類であり、好ましくは霊長類またはげっ歯類、より好ましくはヒト対象である。
【手続補正書】
【提出日】平成24年3月19日(2012.3.19)
【手続補正１】
【補正対象書類名】明細書
【補正対象項目名】００４３
【補正方法】変更
【補正の内容】
【００４３】
実施例１：比較例
この手順は、特許出願EP1053053に記載の調製方法に従って調製されるアルミナを用いる。それは、２〜５ｍｍのボール形態であり、その比表面積は３４９ｍ２／ｇである。まずナトリウムがＮａＮＯ３の溶液の乾式含浸と称される方法によって組み入れられ、それにより１００℃での乾燥および８２０℃での焼成後にナトリウム６．７重量％を得る。
【手続補正２】
【補正対象書類名】明細書
【補正対象項目名】００５２
【補正方法】変更
【補正の内容】
【００５２】
第２の集塊Ｃは、特許出願EP1053053に記載の調製方法を用いて調製される。これは、ＮａＮＯ３の含浸、および実施例１で記載されたものと同等のアルミナの８２０℃での焼成後、Ｎａを６．７％含む。